(57)【特許請求の範囲】
【請求項１】
制御棒をまとめてグループ化した制御棒グループデータを入出力装置との対話処理によって編集すると共に、編集された制御棒グループデータに基づいて制御棒の操作手順を定める制御棒操作シーケンスデータを入出力装置との対話処理によって編集して制御棒操作シーケンスデータを作成し、制御棒を操作する制御盤に伝達する制御棒操作シーケンス作成装置において、
順次対話処理による編集によって制御棒操作シーケンスデータを作成し、作成された制御棒操作シーケンスデータを第１制御棒操作シーケンスデータファイルへ保存する手段と、前記作成された制御棒操作シーケンスデータの有効あるいは無効のチェック要求をする手段と、前記チェック要求した制御棒操作シーケンスデータのチェック結果が有効のとき、作成された制御棒操作シーケンスデータを第２制御棒操作シーケンスデータファイルへ保存する手段と、前記第２制御棒操作シーケンスデータファイルを前記制御盤に伝達する手段とからなる制御棒操作シーケンス編集処理手段と、
この制御棒操作シーケンス編集処理手段からチェック要求がある毎に作成された制御棒操作シーケンスデータが所定の操作ルールに適合するか否かをチェックして有効あるいは無効を前記制御棒操作シーケンス編集処理手段へ通知する制御棒操作シーケンスチェック処理手段とを備えることを特徴とする制御棒操作シーケンス作成装置。
【請求項２】
前記制御棒操作シーケンスチェック処理手段によりルール違反が判定されたとき、その内容を入出力装置へ表示出力する判定結果表示部を備え、前記判定結果表示部は、違反したルールの内容、前記ルール違反とされる制御棒グループ番号、あるいは、制御棒シーケンス番号を入出力装置へ表示出力することを特徴とする請求項１記載の制御棒操作シーケンス作成装置。
【請求項３】
前記制御棒操作シーケンスチェック処理手段により前記ルール違反と判定されたとき、プラントのプロセス量との関係からルール違反しても設定可能か否か判定し設定可能の判定がされると該当する制御棒操作シーケンスデータを有効とする旨の通知を前記制御棒操作シーケンス編集処理手段へ出力し、処理を続行するバイパス可否入力処理手段を備えることを特徴とする請求項１または請求項２記載の制御棒操作シーケンス作成装置。
【請求項４】
制御棒をまとめてグループ化した制御棒グループデータを入出力装置との対話処理によって編集すると共に、編集された制御棒グループデータに基づいて制御棒の操作手順を定める制御棒操作シーケンスデータを入出力装置との対話処理によって編集して制御棒操作シーケンスデータを作成し、制御棒を操作する制御盤に伝達する制御棒操作シーケンス作成装置において、
局所臨界試験のために操作対象の制御棒グループデータを入出力装置との対話処理により設定し、制御棒グループデータを編集する制御棒グループ編集処理手段と、
全制御棒グループの内で前記操作対象以外の残りの制御棒グループを所定の条件で前記制御棒グループ編集処理手段へ設定し、局所臨界試験を可能とする制御棒グループ自動設定処理手段と、
前記制御棒グループ自動設定処理手段により設定された局所臨界試験制御棒グループデータを制御棒操作シーケンスデータファイルへ保存し、前記制御棒操作シーケンスデータファイルを前記制御盤に伝達する制御棒操作シーケンス編集処理手段とを備えることを特徴とする制御棒操作シーケンス作成装置。
【発明の詳細な説明】
【０００１】
【発明の属する技術分野】
本発明は、原子力発電プラントにおいて制御棒の操作手順である制御棒操作シーケンスを作成する制御棒操作シーケンス作成装置に関する。
【０００２】
【従来の技術】
原子力発電所では、原子炉の出力を制御する制御棒の操作は、ある制御棒にのみ中性子吸収量が偏ることのないよう（制御棒価値が大きくなりすぎないよう）、常に原子炉全体でバランスのとれた制御棒パターンとするため、予めその操作手順を作成し、これに基づいて操作を行う。
【０００３】
この制御棒操作手順を制御棒操作シーケンスと呼ぶ。その例を図１５に示す。
【０００４】
図１５は、従来の制御棒操作シーケンス作成装置の構成図であって、制御棒操作シーケンス作成装置１００は、制御棒操作シーケンス編集処理手段１と制御棒グループ編集処理手段４と入出力装置３と制御棒操作シーケンスデータファイル２とから構成され、制御盤５へ接続している。
【０００５】
この制御棒操作シーケンス作成装置１００では、入出力装置３との対話処理によつて制御棒の操作順序と引抜き挿入位置と制御棒グループを特定する制御棒操作シーケンスデータを作成する。
【０００６】
まず、制御棒グループ編集処理手段４と入出力装置３との間の対話処理で制御棒をまとめた制御棒グループが編集され、そして、その制御棒グループの位置と順序とを特定するデータ等を含む制御棒操作シーケンスデータが制御棒操作シーケンス編集処理手段１と入出力装置３との対話処理により順次部分的に作成される。
【０００７】
そして、作成された制御棒操作シーケンスデータの部分が順次制御棒操作シーケンスデータファイル２に保存される。全部の制御棒操作シーケンスデータが制御棒操作シーケンスデータファイル２へ保存されると制御棒操作シーケンス編集処理手段１によって制御盤５へ転送され設定される。
【０００８】
実際には、制御棒操作シーケンス作成装置１００で作成され制御盤５へ設定された制御棒操作シーケンスデータにより、図１６に示すように制御棒が操作される。具体的には、図示するシーケンス番号は、制御棒の操作順序を示し、この番号順に番号１から番号６０へ順次操作される。
【０００９】
ここで、制御棒グループは、約２００本の制御棒の内で、制御棒価値がほぼ等しいものをグループ化したもので、図１６では、同じ制御棒グループに属する制御棒は同じ動作をする。図１７は、制御棒グループの配置を座標で示すもので格子状の枠内の数字は、制御棒グループ番号を示し、この番号は、複数の枠内にあり、同じ番号のものは同一の制御棒グループとなっている。
【００１０】
制御棒監視装置では、燃料保護のために、「制御棒を操作するに当たって守るべきルール」を内蔵している。このルールとは、ある制御棒を操作する場合、その制御棒が属する制御棒グループの他の制御棒がどのような挿入位置にあるべきか、また、他の制御棒グループに属する制御棒がどのような挿入位置にあるべきかを定量的にまとめたもので、これを制御棒グループ毎にまとめたものである。
【００１１】
このルールの一例を示すと、（１）制御棒グループ番号１，２，３，４の場合の引抜き操作では、制御棒グループ５〜１０に属する制御棒は全挿入されていること、（２）制御棒グループ７，８，９，１０の操作時には、それぞれの制御棒グループ内における操作可能な全制御棒の内、最挿入制御棒と最引抜き制御棒の制御棒位置最大許容量差は８ステップ以下であることなど多数のルールがある。
【００１２】
オペレータは、上記ルールを考慮の上で万全の注意力をもって制御棒操作シーケンス作成装置１００によつて制御棒操作シーケンスデータを作成していた。
【００１３】
【発明が解決しようとする課題】
しかしながら、制御棒操作シーケンス作成装置１００によって上記ルール違反とならないように注意して作成しても、設定時の入力ミスなどによりルール違反の制御棒操作シーケンスデータが設定されるおそれがあるという問題がある。
【００１４】
すなわち、制御盤５に設定した「制御棒操作シーケンスデータ」が入力ミス等でルールに違反していた場合、制御棒操作を順次行っている途中に、ルールに違反した制御棒操作を行おうとした段階で、監視装置により警報が出力され、自動運転の停止等の対応処置が行われるようになっている。
【００１５】
このような事態になると、制御棒操作シーケンスを再度作成し直し、制御盤５に設定する必要があり、特にプラント起動中などでは、起動スケジュールに大きな影響を与えかねないものである。
【００１６】
また、局所臨界試験では、操作対象の制御棒グループ以外の残りの制御棒グループを所定の条件（装置上の制約）の下で、対話処理によって挿入、引抜き操作を行っていたが、上記条件に合致するように約２００本近い制御棒を万全な注意力をもって行うのは、過大な手間を要し、間違いのある設定がされるおそれが多分にあった。
【００１７】
そこで、本発明は、ルール違反等を含む制御棒操作シーケンスデータの作成をなくすると共に、オペレータの注意力等の負担を軽減する制御棒操作シーケンス作成装置を提供することを目的とする。
【００１８】
【課題を解決するための手段】
請求項１の発明は、制御棒をまとめてグループ化した制御棒グループデータを入出力装置との対話処理によって編集すると共に、編集された制御棒グループデータに基づいて制御棒の操作手順を定める制御棒操作シーケンスデータを入出力装置との対話処理によって編集して制御棒操作シーケンスデータを作成し、制御棒を操作する制御盤に伝達する制御棒操作シーケンス作成装置において、順次対話処理による編集によって制御棒操作シーケンスデータを作成し、作成された制御棒操作シーケンスデータを第１制御棒操作シーケンスデータファイルへ保存する手段と、前記作成された制御棒操作シーケンスデータの有効あるいは無効のチェック要求をする手段と、前記チェック要求した制御棒操作シーケンスデータのチェック結果が有効のとき、作成された制御棒操作シーケンスデータを第２制御棒操作シーケンスデータファイルへ保存する手段と、前記第２制御棒シーケンスデータファイルを前記制御盤に伝達する手段とからなる制御棒操作シーケンス編集処理手段と、この制御棒操作シーケンス編集処理手段からチェック要求がある毎に作成された制御棒操作シーケンスデータが所定の操作ルールに適合するか否かをチェックして有効あるいは無効を前記制御棒操作シーケンス編集処理手段へ通知する制御棒操作シーケンスチェック処理手段とを設けるようにしたものである。この手段によれば、制御棒操作シーケンスデータが順次作成される毎に作成された部分が第１制御棒操作シーケンスデータファイルへ保存され、チェック要求によって作成された部分が燃料保護のための所定のルール違反か否かがチェックされ、有効とされる制御棒シーケンスデータが第２制御棒操作シーケンスデータファイルへ保存される。これにより、第１制御棒操作シーケンスデータファイルへは、ルール違反である無効の部分があっても制御棒操作シーケンスデータが全て保存される。そして、第２制御棒操作シーケンスデータファイルへは、ルール違反でない有効な制御棒操作シーケンスデータのみが保存される。従って、従来のようにルール違反の制御棒操作シーケンスデータが実際に運転操作されるおそれが解消できる。
【００１９】
請求項２の発明は、請求項１記載の制御棒操作シーケンス作成装置において、御棒操作シーケンスチェック処理手段によりルール違反が判定されたとき、その内容を入出力装置へ表示出力する判定結果表示部を設けるようにしたものである。この手段によれば、制御棒操作シーケンスデータを作成中にデータがルール違反となると、ルール違反の内容が表示出力される。これにより、オペレータはルール違反の内容が判るから即座にルール違反を解消するように対話処理によって、修正ができる。
【００２０】
また、判定結果表示部は、ルール違反とされる制御棒グループ番号、あるいは、制御棒シーケンス番号を入出力装置へ表示出力するようにしたものである。この手段によれば、制御棒操作シーケンスデータを作成中にデータがルール違反となると、ルール違反の内容として制御棒グループ番号あるいは制御棒操作シーケンス番号が表示出力される。これにより、オペレータはルール違反の内容が詳細に判るから即座にルール違反を解消するように対話処理によって、ルール違反箇所の修正ができる。
【００２１】
請求項３の発明は、請求項１または請求項２記載のいずれかの制御棒操作シーケンス作成装置において、制御棒操作シーケンスチェック処理手段により前記ルール違反と判定されたとき、プラントのプロセス量（炉心流量など）との関係からルール違反しても設定可能か否か判定し設定可能の判定がされると該当する制御棒操作シーケンスデータを有効とする旨の通知を前記制御棒操作シーケンス編集処理手段へ出力し、処理を続行するバイパス可否入力処理手段を設けるようにしたものである。この手段によれば、ルール違反と判断された場合でも、制御棒操作シーケンスデータが有効と擬制されて制御棒操作シーケンスデータが作成できる。これにより、オペレータによる判断では困難であったため無効とされた場合でも引き続いて制御棒操作シーケンスデータを作成できる。
【００２２】
請求項４の発明は、制御棒をまとめてグループ化した制御棒グループデータを入出力装置との対話処理によって編集すると共に、編集された制御棒グループデータに基づいて制御棒の操作手順を定める制御棒操作シーケンスデータを入出力装置との対話処理によって編集して制御棒操作シーケンスデータを作成し、制御棒を操作する制御盤に伝達する制御棒操作シーケンス作成装置において、局所臨界試験のために操作対象の制御棒グループデータを入出力装置との対話処理により設定し、制御棒グループデータを編集する制御棒グループ編集処理手段と、全制御棒グループの内で前記操作対象以外の残りの制御棒グループを所定の条件で前記制御棒グループ編集処理手段へ設定し、局所臨界試験を可能とする制御棒グループ自動設定処理手段と、前記制御棒グループ自動設定処理手段により設定された局所臨界試験制御棒グループデータを制御棒操作シーケンスデータファイルへ保存し、前記制御棒シーケンスデータファイルを前記制御盤に伝達する制御棒操作シーケンス編集処理手段とを設けるようにしたものである。この手段によれば、対話処理により局所臨界試験の操作対象となる所定の制御棒グループデータが設定される。そして、残りの対象外の制御棒グループデータが所定の条件で人手を介することなく設定される。これにより、従来、残りの操作対象外の多数の制御棒グループを所定の条件を考慮に入れて人手により設定する手間が削減でき、さらに、間違いなく設定できる。
【００２３】
【発明の実施の形態】
以下、本発明の実施の形態について図面を参照して説明する。
【００２４】
図１は、本発明の第１実施の形態を示す制御棒操作シーケンス作成装置の構成図であって、図１において、従来技術を示す図１５と同一符号は、同一部分または相当部分を示し、第１実施の形態は、従来技術に対して制御棒操作シーケンスチェック処理手段１１と第１制御棒操作シーケンスデータファイル１２とを追設すると共に、制御棒操作シーケンス編集処理手段１の構成を異にし、制御棒操作シーケンス編集処理手段１Ａとしたことである。
【００２５】
ここで、制御棒操作シーケンス編集処理手段１Ａは、順次対話処理によって制御棒操作シーケンスデータを編集・作成し、作成された制御棒操作シーケンスデータを制御棒操作シーケンスデータファイル１２へ保存する手段と、作成された制御棒操作シーケンスデータの有効あるいは無効のチェック要求をする手段と、チェック要求した制御棒操作シーケンスデータのチェック結果が有効のとき、作成された制御棒操作シーケンスデータを制御棒操作シーケンスデータファイル２へ保存する手段とからなっている。
【００２６】
制御棒操作シーケンスチェック処理手段１１は、制御棒操作シーケンス編集処理手段１Ａからチェック要求がある毎に作成された制御棒操作シーケンスデータが所定のルールに適合するか否かをチェックして有効あるいは無効を制御棒操作シーケンス編集処理手段１Ａへ通知するものである。
【００２７】
以上の構成で、入出力装置３との対話処理が行われ、制御棒グループ編集処理手段４によって制御棒グループの編集がされ、制御棒操作シーケンス編集処理手段１Ａによって制御棒操作シーケンスデータが順次部分的に編集が行われる。制御棒操作シーケンス編集処理手段１Ａでは、図２に示す処理が順次行われ、上記した制御棒操作シーケンスデータの一部が作成されると、制御棒操作シーケンスデータファイル１２へ上記データが保存される（Ｓ１，Ｓ２）。
【００２８】
次に、制御棒操作シーケンス編集処理手段１Ａにより制御棒操作シーケンスチェック処理手段１１へチェック要求がされる（Ｓ３）。この結果、図３に処理を示す制御棒操作シーケンスチェック処理手段１１が起動して、該当する制御棒操作シーケンスデータの作成部分を取込む（Ｓ１１，Ｓ１２）。
【００２９】
これによって、制御棒操作シーケンスチェック処理手段１１により予め定めた燃料保護のためなどの操作ルールに違反するか否かがチェックされる（Ｓ１３）。このチェック結果、取込まれた制御棒操作シーケンスデータがルールに違反しないと判断されたとき制御棒操作シーケンス編集処理手段１Ａへ有効と通知する一方、ルールに違反すると判断したとき無効と通知がされる（Ｓ１４，Ｓ１５）。
【００３０】
図２に示す処理の制御棒操作シーケンス編集処理手段１Ａは、制御棒操作シーケンスチェック処理手段１１からチェック結果を入手すると、結果が有効の場合制御棒操作シーケンスデータファイル２へ該当データを保存する（Ｓ４〜Ｓ６）。一方、チェック結果が無効のとき対話処理により修正してルール違反のないようにする（Ｓ７）。これにより、制御棒操作シーケンスデータファイル２へは、有効な制御棒操作シーケンスデータのみ保存され、制御棒操作シーケンスデータファイル１２は、無効を含む制御棒操作シーケンスデータが保存される。
【００３１】
従って、制御棒操作シーケンスデータファイル１２へ無効を含む制御棒操作シーケンスデータを保存して一応無効部分を有効とするように制御棒操作シーケンス編集処理手段１Ａにより修正することができる。そして、制御棒操作シーケンスデータファイル２へ全ての制御棒操作シーケンスデータが保存されたときルール違反となるデータは含まれていない。次に、制御棒操作シーケンスデータファイル２へ保存された制御棒操作シーケンスデータが制御棒操作シーケンス編集処理手段１Ａによって制御盤５へ転送されて設定される。
【００３２】
このように第１実施の形態によれば、制御棒操作シーケンスデータが順次作成される毎に作成された部分が制御棒操作シーケンスデータファイル１２へ保存され、チェック要求によって作成された部分が所定の操作ルール違反か否かがチェックされ、有効のときのみ制御棒操作シーケンスデータファイル２へ保存される。これにより、制御棒操作シーケンスデータファイル１２へは、ルール違反である無効の部分があっても制御棒操作シーケンスデータが全て保存される。そして、制御棒操作シーケンスデータファイル２へは、ルール違反でない有効な制御棒操作シーケンスデータのみが保存される。従って、従来のようにルール違反の制御棒操作シーケンスデータが実際に運転操作されるおそれが解消できる。
【００３３】
また、有効、無効に関係なく編集・作成した制御棒操作シーケンスデータをその都度その状態で制御棒操作シーケンスデータファイル１２に保存できるので、制御棒操作シーケンスデータの順番に作成（入力）する制約も解消する。つまり、作成効率を考えグループ単位で制御棒操作シーケンスデータを連続して作成することができる。
【００３４】
図４は、本発明の第２実施の形態を示す制御棒操作シーケンス作成装置の構成図であって、第１実施の形態を示す図１と同一符号は、同一部分または相当部分を示している。第２実施の形態は、第１実施の形態に対して判定結果表示部２１を追設したものである。
【００３５】
ここで、判定結果表示部２１は、制御棒操作シーケンスチェック処理手段１１によりルール違反が判定されたとき、その内容を入出力装置３へ表示出力するものである。
【００３６】
以上の構成で、判定結果表示部２１が図５に示す処理を実行し、制御棒操作シーケンスチェック処理手段１１から無効の通知があると、無効の原因となるルール違反の内容を表す表示データが作成される（Ｓ２１，Ｓ２２）。そして、表示データが入出力装置３へメッセージとして出力される（Ｓ２３）。
【００３７】
図６（Ａ）は、本発明の第２実施の形態により入出力装置３へ表示される制御棒操作目標位置表示画面例６０を示すものである。この制御棒操作目標位置表示画面例６０は、制御棒グループ（図示ＣＲグループ）が縦軸に１〜１０Ａまで表示され、制御棒位置として表中で０〜２００が表示されている。例えば、ＣＲグループ１は２００の位置まで引抜き、同様にＣＲグループ２〜ＣＲグループ６も２００の位置まで引抜き、ＣＲグループ７Ｄは、８，１６・・・・・と順次引抜くというように各ＣＲグループに対する各位置を示している。
【００３８】
また、図７は、入出力装置３へ表示される制御棒操作シーケンス番号表示画面例６１を示している。この制御棒操作シーケンス番号表示画面例６１は、制御棒グループ（図示ＣＲグループ）を縦軸に表示し、横軸にシーケンス番号の区分を表示し、表中に対応する制御棒を引き抜く順序としてシーケンス番号１〜１１６が表示されている。
【００３９】
例えば、まず、シーケンス番号１であるＣＲグループ１を引抜き、次に、シーケンス番号２のＣＲグループ２というようにシーケンス番号に従って順次引抜きがされるように操作をする。そして、制御棒の位置は、図６（Ａ）に示す制御棒操作目標位置表示画面例６０の数値による。
【００４０】
このような図６（Ａ）に示す制御棒操作目標位置表示画面例６０のＣＲグループ８Ａにおいて、図７の制御棒操作シーケンス番号表示画面例６１のシーケンス番号５２（図示枠で囲みに表示）に対応する図６の制御棒位置２４を仮に３０（図示矢印枠で囲み表示）のように設定すると、図６（Ｂ）に示す操作ルール違反メッセージ画面例６０Ａのように表示がされる。これは、従来技術で説明した制御棒グループ７，８，９，１０の操作時には、それぞれの制御棒グループ内における操作可能な全制御棒の内、最挿入制御棒と最引抜き制御棒の制御棒位置最大許容量差は８ステップ以下であることの条件に違反するものである。従って、図６（Ｂ）に示す操作ルール違反メッセージ画面例６０Ａには、その内容として、ＣＲグループ８Ａ、シーケンス５２、制御棒位置３０の表示に対して、最大許容量（８ステップ）以上の操作のメッセージが表示される。
【００４１】
このように第２実施の形態によれば、制御棒操作シーケンスデータを作成中にデータがルール違反となると、ルール違反の内容が表示出力される。これにより、オペレータはルール違反の内容が判るから即座にルール違反を解消するように対話処理によって、修正ができる。なお、ルール違反とされるＣＲグループ番号、シーケンス番号、制御棒位置を図６（Ａ）、図７、図１３の表中において識別表示するものでもよい。
【００４２】
図８は、本発明の第３実施の形態を示す制御棒操作シーケンス作成装置の構成図であって、第１実施の形態を示す図１と同一符号は、同一部分または相当部分を示している。第３実施の形態は、第１実施の形態に対して判定結果表示部３１を追設したものである。
【００４３】
ここで、判定結果表示部３１は、ルール違反とされる制御棒グループ番号、あるいは、制御棒シーケンス番号、若しくは、これらの双方の番号を入出力装置３へ表示出力するものである。
【００４４】
以上の構成で、判定結果表示部３１が図９に示す処理を実行し、制御棒操作シーケンスチェック処理手段１１から無効の通知があると、無効の原因となるルール違反の要因となる制御棒グループ番号、あるいは、制御棒シーケンス番号または双方が抽出され、表示データが作成される（Ｓ３１，Ｓ３２）。そして、表示データが入出力装置３へ制御棒グループ番号、あるいは、制御棒シーケンス番号または双方を含むメッセージとして出力される（Ｓ３３）。
【００４５】
このように第３実施の形態によれば、制御棒操作シーケンスデータを作成中にデータがルール違反となると、ルール違反の内容として制御棒グループ番号あるいは制御棒操作シーケンス番号または双方が表示出力される。これにより、オペレータはルール違反の内容が詳細に判るから即座にルール違反を解消するように対話処理によって、ルール違反箇所の修正ができる。
【００４６】
図１０は、本発明の第４実施の形態を示す制御棒操作シーケンス作成装置の構成図であって、第２実施の形態を示す図４と同一符号は、同一部分または相当部分を示している。
【００４７】
第４実施の形態は、第２実施の形態に対してバイパス可否入力処理手段４１を追設したものである。ここで、バイパス可否入力処理手段４１は、制御棒操作シーケンスチェック処理手段１１によりルール違反と判定されたとき、炉心流量などのプラントのプロセス量との関係からルール違反しても設定可能か否か判定し設定可能の判定がされると該当する制御棒操作シーケンスデータを有効とする旨の通知を制御棒操作シーケンス編集処理手段１Ａへ出力し、処理を続行するものである。
【００４８】
以上の構成で、バイパス可否入力処理手段４１が図１１に示す処理を実行し、制御棒操作シーケンスチェック処理手段１１からのチェック結果が無効の通知の場合、熱出力が３０％以上の領域の操作か否かの判断がされる（Ｓ４１〜Ｓ４２）。この判断で、熱出力が３０％以上の領域の操作では、有効と擬制して制御棒操作シーケンス編集処理手段１Ａへ通知がされる（Ｓ４３）。一方、熱出力が３０％以下の領域の操作では、そのまま無効の通知が制御棒操作シーケンス編集処理手段１Ａへされる（Ｓ４４）。
【００４９】
このように第４実施の形態によれば、ルール違反と判断された場合でも、熱出力との関係から制御棒操作シーケンスデータが有効と擬制されて制御棒操作シーケンスデータが作成できる。これにより、オペレータによる判断では困難であったため無効とされた場合でも引き続いて制御棒操作シーケンスデータを作成できる。
【００５０】
図１２は、本発明の第５実施の形態を示す制御棒操作シーケンス作成装置の構成図であって、従来技術を示す図１５と同一符号は、同一部分または相当部分を示し、第５実施の形態は、従来技術に制御棒グループ自動設定処理手段５１を追設したものである。
【００５１】
ここで、制御棒グループ自動設定処理手段５１は、局所臨界試験などのために操作対象の制御棒グループデータを入出力装置３との対話処理により設定した後に、全制御棒グループの内で操作対象以外の残りの制御棒グループを所定の条件で制御棒グループ編集処理手段４へ設定し、局所臨界試験を可能とするものである。
【００５２】
以上の構成で、制御棒グループ編集処理手段４と入出力装置３と対話処理により局所臨界試験で引抜きの操作対象となる制御棒グループが設定される。
【００５３】
図１３は、操作対象の制御棒グループの一例を示し、座標（３０，４７）に制御棒グループ１が設定され、座標（３４，４３）に制御棒グループ２が設定され、順次図示するように制御棒グループ８まで対話処理で設定される。次に、残りの操作対象外の全ての約２００本近い制御棒（図示空白部分）へ制御棒グループの設定がされる。
【００５４】
すなわち、制御棒グループ自動設定処理手段５１は図１４に示す処理を実行し、まず、対話処理により設定された制御棒グループ番号の次の番号の制御棒グループが設定される（Ｓ５１）。図１３の例では、制御棒グループ番号９が設定される。ところで、例えば、装置の伝送ラインの制約から制御棒グループは２６個で、かつ、一つの制御棒グループで設定できる最大本数は、１０本という条件を設ける。
【００５５】
次に、制御棒グループが設定されていない制御棒があるか判定される（Ｓ５２）。つまり、約２００本の制御棒の全てに設定がされたかの判定がされ、未だ操作対象外の操作棒への設定がされていないものがあれば、次に、制御棒グループが最大の条件、例えば、２６を越えたか判定がされる（Ｓ５３）。未だ越えていない場合、その制御棒グループに属する制御棒を１本設定する（Ｓ５４）。
【００５６】
さらに、上記処理で、制御棒グループに属する制御棒の最大本数条件、例えば、１０本を越えたか判断される（Ｓ５５）。また、その制御棒グループの制御棒の最大数を越えると次の制御棒グループ（図１３の例では、制御棒グループ番号１０）を設定の処理がされる（Ｓ５６）。さらに、処理Ｓ５３で制御棒グループの最大数以上の場合、例えば、エラーメッセージが出力される（Ｓ５７）。以上の処理が繰り返され、処理Ｓ５２で全ての制御棒に対して順次自動に制御棒グループが設定されると終了する。
【００５７】
【発明の効果】
以上説明したように請求項１の発明によれば、第１制御棒操作シーケンスデータファイルへは、ルール違反である無効の部分があっても制御棒操作シーケンスデータを保存し、第２制御棒操作シーケンスデータファイルへは、ルール違反でない有効な制御棒操作シーケンスデータのみを保存するので、従来のようにルール違反の制御棒操作シーケンスデータが実際に運転操作されるおそれが解消できる。
【００５８】
請求項２の発明によれば、制御棒操作シーケンスデータを作成中にデータがルール違反となると、ルール違反の内容を表示出力するので、オペレータはルール違反の内容が判るから即座にルール違反を解消するように対話処理によって、修正ができる。また、制御棒操作シーケンスデータを作成中にデータがルール違反となると、ルール違反の内容として制御棒グループ番号あるいは制御棒操作シーケンス番号を表示出力するので、オペレータはルール違反の詳細が判るから即座にルール違反を解消するように対話処理によって、ルール違反箇所の修正ができる。
【００５９】
請求項３の発明によれば、ルール違反と判断された場合でも、熱出力との関係から制御棒操作シーケンスデータを有効として制御棒操作シーケンスデータを作成するので、オペレータによる判断では困難であったため無効とされた場合でも引き続いて制御棒操作シーケンスデータを作成できる。
【００６０】
請求項４の発明によれば、対話処理により局所臨界試験の操作対象となる所定の制御棒グループデータ以外の残りの対象外の制御棒グループデータが所定の条件で人手を介することなく設定するので、従来、残りの操作対象外の多数の制御棒グループを所定の条件を考慮に入れて人手により設定する手間が削減でき、さらに、間違いなく設定できる。
【図面の簡単な説明】
【図１】本発明の第１実施の形態を示す制御棒操作シーケンス作成装置の構成図である。
【図２】図１の制御棒操作シーケンス作成装置に備える制御棒操作シーケンス編集処理手段の処理を示すフローチャートである。
【図３】図１の制御棒操作シーケンス作成装置に備える制御棒操作シーケンスチェック処理手段の処理を示すフローチャートである。
【図４】本発明の第２実施の形態を示す制御棒操作シーケンス作成装置の構成図である。
【図５】図４の制御棒操作シーケンス作成装置に備える判定結果表示部の処理を示すフローチャートである。
【図６】図４の制御棒操作シーケンス作成装置に備える入出力装置に表示される制御棒操作目標位置表示画面例および操作ルール違反メッセージ画面例である。
【図７】図４の制御棒操作シーケンス作成装置に備える入出力装置に表示される制御棒操作シーケンス番号表示画面である。
【図８】本発明の第３実施の形態を示す制御棒操作シーケンス作成装置の構成図である。
【図９】図８の制御棒操作シーケンス作成装置に備える判定結果表示部の処理手順を示すフローチャートである。
【図１０】本発明の第４実施の形態を示す制御棒操作シーケンス作成装置の構成図である。
【図１１】図１０の制御棒操作シーケンス作成装置に備えるバイパス可否入力処理手段の処理手順を示すフローチャートである。
【図１２】本発明の第５実施の形態を示す制御棒操作シーケンス作成装置の構成図である。
【図１３】局所臨界試験のための制御棒操作シーケンスデータについての説明図である。
【図１４】図１２の制御棒操作シーケンス作成装置に備える制御棒グループ自動設定処理手段の処理手順を示すフローチャートである。
【図１５】従来の制御棒操作シーケンス作成装置を示す構成図である。
【図１６】制御棒操作手順表である。
【図１７】制御棒グループの説明図である。
【符号の説明】
１  制御棒操作シーケンス編集処理手段
２，１２  制御棒操作シーケンスデータファイル
３  入出力装置
４  制御棒グループ編集処理手段
５  制御盤
１１  制御棒操作シーケンスチェック処理手段
２１，３１  判定結果表示部
４１  バイパス可否入力処理手段
５１  制御棒グループ自動設定処理手段
６０  制御棒操作目標位置表示画面例
６１  制御棒操作シーケンス番号表示画面
１００  制御棒操作シーケンス作成装置
【図１】
0003792361.tif 000002
【図２】
0003792361.tif 000003
【図３】
0003792361.tif 000004
【図４】
0003792361.tif 000005
【図５】
0003792361.tif 000006
【図６】
0003792361.tif 000007
【図７】
0003792361.tif 000008
【図８】
0003792361.tif 000009
【図９】
0003792361.tif 000010
【図１０】
0003792361.tif 000011
【図１１】
0003792361.tif 000012
【図１２】
0003792361.tif 000013
【図１３】
0003792361.tif 000014
【図１４】
0003792361.tif 000015
【図１５】
0003792361.tif 000016
【図１６】
0003792361.tif 000017
【図１７】
0003792361.tif 000018